(57)【要約】【課題】多数のケーブルを同じ端子台に簡単且つ迅速に接続できるようにする。【解決手段】端子台１０の端子１２と端子ねじ１４の頭部１４Ａの間に中間端子４０を配設すると共に、該中間端子４０と端子１２を接続するための接続部４２と、前記端子ねじ１４が弛められたときに前記中間端子４０と端子台端子１２及び端子ねじ頭部１４Ａの間隔を広げるためのばね４４を設ける。【選択図】      図７
2004281151.tif 000002
【特許請求の範囲】
【請求項１】
端子台の端子と端子ねじの頭部間にケーブルの端子を挟み、端子ねじを締め込んで固定するようにされた端子台において、
前記端子台端子と端子ねじ頭部の間に配設された中間端子と、
該中間端子と端子を接続するための接続部と、
端子ねじが弛められたときに前記中間端子と端子台端子および端子ねじ頭部の間隔を広げるための付勢条件と、
を備えたことを特徴とする端子台。
【請求項２】
前記中間端子が複数設けられ、
該中間端子間にも、端子ねじが弛められたときに該中間端子の間隔を広げるための付勢手段が配設されていることを特徴とする請求項１に記載の端子台。
【請求項３】
前記中間端子に、端子ねじを抜いた時のケーブル端子の抜けを防止するプッシュロック機構が設けられていることを特徴とする請求項１又は２に記載の端子台。
【発明の詳細な説明】
【０００１】
【発明の属する技術分野】
本発明は、端子台の端子と端子ねじの頭部間にケーブルの端子を挟み、端子ねじを締め込んで固定するようにされた端子台に係り、特に、複数のケーブルを同じ端子台に容易且つ迅速に接続可能な分岐用の多重接続式端子台に関する。
【０００２】
【従来の技術】
従来の端子台は、図１（正面図）及び図２（平面図）に示すように、端子台１０の端子１２と端子ねじ１４の頭部１４Ａの間に、ケーブル２０の、例えば図３（Ａ）に示すようなＹ端子、あるいは図３（Ｂ）に示すような丸端子付きの圧着端子２２を挟み、端子ねじ１４を締め込むことにより、固定するようにされている。
【０００３】
前記圧着端子２２の端子台接続部２２Ａは導板で厚みが小さい一方、ケーブル２０との接続部２２Ｂはケーブル２０と同じ太さを持っている。このため、圧着端子２２は、図４（Ａ）に示すように上下同じ向きで端子台１０に固定することができず、図４（Ｂ）に示すように上下逆向きにして端子台１０に固定する必要があり、１つの端子台に付き２本までしか接続できないという問題点を有していた。
【０００４】
一方、リレー回路やセンサ入力回路等では、コモン線等、同じ回路内で複数分岐使用しなければならないケーブル線を多数使用する必要があることから、従来は、図２に示した如く短絡バー３０を使用する等して、端子台１０を複数用意して分岐していたため、設置スペースを多く必要とする。
【０００５】
このような問題を解決するべく、特許文献１には、図１及び図２に示した構成の端子台を図１の上下に３段あるいは４段重ね、上下の端子台を、上下方向の専用の短絡用コンタクトとソケットで短絡することが提案されている。
【０００６】
【特許文献１】
特開平８−１１５７５９号公報
【０００７】
【発明が解決しようとする課題】
しかしながら、各端子台毎に端子ねじが独立して設けられていたため、多数のケーブルを接続する場合には端子ねじを１本ずつ締める必要があり、手間がかかるだけでなく、下の端子ねじから順に締めていき、逆に外す場合には上の端子ねじから順に外していかないと、ドライバが入らないという問題点を有していた。
【０００８】
本発明は、前記従来の問題点を解消するべくなされたもので、複数のケーブルを同じ端子台に簡単且つ迅速に取付け、取外し可能な多重接続式分岐用端子台を提供することを課題とする。
【０００９】
【課題を解決するための手段】
本発明は、端子台の端子と端子ねじの頭部間にケーブルの端子を挟み、端子ねじを締め込んで固定するようにされた端子台において、前記端子台端子と端子ねじ頭部の間に配設された中間端子と、該中間端子と端子を接続するための接続部と、端子ねじが弛められたときに前記中間端子と端子台端子および端子ねじ頭部の間隔を広げるための付勢条件とを備えることにより、前記課題を解決したものである。
【００１０】
又、前記中間端子を複数設け、該中間端子間にも、端子ねじが弛められたときに該中間端子の間隔を広げるための付勢手段を配設したものである。
【００１１】
又、前記中間端子に、端子ねじを抜いた時のケーブル端子の抜けを防止するプッシュロック機構を設けて、必要な段の中間端子のみを開放状態にできるようにして、ケーブル端子の一部の挿入・取出しを容易としたものである。
【００１２】
【発明の実施の形態】
以下図面を参照して、本発明の実施形態を詳細に説明する。
【００１３】
本発明の第１実施形態は、図５（正面図）及び図６（平面図）に示す如く、端子台１０の端子１２と端子ねじ１４の頭部１４Ａ間にケーブルの端子（図示省略）を挟み、端子ねじ１４を締め込んで固定するようにされた端子台１０において、前記端子台端子１２と端子ねじ頭部１４Ａの間に、ケーブル端子を２つずつ挟むための中間端子４０（図では３つ）を設けると共に、該中間端子４０と端子台端子１２を機械的・電気的に接続するための接続部４２を設け、更に、端子ねじ１４が弛められたときに、前記中間端子４０と端子台端子１２及び端子ねじ頭部１４Ａの間隔を広げるための付勢手段であるコイルばね４４を設けたものである。
【００１４】
ケーブル２０を接続する場合には、コイルばね４４の作用により、図７の右側のように開いている状態の各端子間にケーブル２０の圧着端子２２を挿入し、図７の左側のように、コイルばね４４に抗して、共通の端子ねじ１４を締め込むことで、各端子間（端子台端子１２又は端子ねじ頭部１４Ａと中間端子４０間、又は、中間端子１４相互間）にケーブル端子を２つずつ、容易且つ迅速に固定することができる。
【００１５】
なお、第１実施形態の端子台で、図３（Ｂ）に示した丸端子のケーブルを固定する場合、ケーブルの端子を挿入・取出す際には、端子ねじ１４を抜き取る必要があるが、その場合、全ての中間端子４０が開放されるため、接続済みの端子まで抜けてしまう。そこで、図８（正面図）及び図９（平面図）に示す第２実施形態のように、例えば各中間端子４０の下側に、図１０に詳細に示すような、ＣＤのオーディオの蓋のように、取手４１Ｂを一度下（又は上）に押すと固定し、再度下（又は上）に押すと開くロック用爪４１Ａを有するプッシュロック機構４１を設け、一度端子ねじ１４を締めたときに、下の段の中間端子４０（最下段の中間端子は端子台端子１２）と簡易的に閉の状態を作り出し、保持することで、端子ねじ１４を抜いたときでも、各ケーブル端子が抜けないようにすることができる。
【００１６】
任意の段の中間端子４０を、端子ねじ１４を抜いた状態で開放する場合には、外側に取り付けられている取手４１Ｂを側方から下（又は上）に押すことで、その段の中間端子のみが開放状態になるため、丸端子、Ｙ端子の種類によらず、ケーブル端子の挿入・取出しが可能になる。
【００１７】
なお、前記実施形態においては、いずれも、中間端子４０が３つ設けられていたが、中間端子の数はこれに限定されず、１つ、２つあるいは４つ以上であっても構わない。
【００１８】
又、前記実施形態においては、いずれも、接続部４２が板状とされていたが、接続部の形状もこれに限定されず、図１１に示す第３実施形態のような丸ロッド状、あるいは、三角柱、四角柱状であっても構わない。
【００１９】
なお、前記実施形態においては、付勢手段としてコイルばね４４が用いられていたが、付勢手段の種類もこれに限定されない。
【００２０】
【発明の効果】
本発明によれば、１個の端子台に多数のケーブルが接続できるので、端子台の必要数が減り、設置スペースが少なくて済み、配線も分かり易くなる。又、端子ねじを弛めるだけで中間端子間が広がるため、ケーブル端子の挿入が容易であり、配線工数の低減が図れる等の優れた効果を有する。
【図面の簡単な説明】
【図１】従来の端子台を示す正面図
【図２】同じく平面図
【図３】ケーブル端子の形状を示す平面図
【図４】ケーブル端子の固定状態を示す正面図
【図５】本発明の第１実施形態を示す正面図
【図６】同じく平面図
【図７】同じく端子ねじを締めた状態を示す正面図
【図８】本発明の第２実施形態を示す正面図
【図９】同じく平面図
【図１０】同じくプッシュロック機構を示す、図８のＸ部拡大断面図
【図１１】本発明の第３実施形態を示す平面図
【符号の説明】
１０…端子台
１２…端子
１４…端子ねじ
１４Ａ…端子ねじ頭部
２０…ケーブル
２２…圧着端子
２２Ａ…端子台接続部
２２Ｂ…ケーブル接続部
４０…中間端子
４１…プッシュロック機構
４１Ａ…ロック用爪
４１Ｂ…取手
４２…接続部
４４…コイルばね
【図１】
2004281151.tif 000003
【図２】
2004281151.tif 000004
【図３】
2004281151.tif 000005
【図４】
2004281151.tif 000006
【図５】
2004281151.tif 000007
【図６】
2004281151.tif 000008
【図７】
2004281151.tif 000009
【図８】
2004281151.tif 000010
【図９】
2004281151.tif 000011
【図１０】
2004281151.tif 000012
【図１１】
2004281151.tif 000013